(57)【要約】【課題】  ＣＣＤの欠陥画素を簡単に補正することのできる撮像装置を得る。【解決手段】  カメラ内の内蔵不揮発性メモリ１７は、欠陥画素の位置を示す欠陥位置２値圧縮データを持っている。そのデータサイズは２値圧縮データであるため小さい。撮影者が撮影を実行すると、ＣＣＤ３の撮像データはメモリ９に格納される。一方、内蔵不揮発メモリ１７の上記欠陥位置２値圧縮データは、ＤＳＰ部５で伸長された後、メモリ９に格納される。伸長された２値データは、欠陥がない画素アドレスの輝度データはゼロになり、欠陥画素アドレスの輝度データは２５５になる。次に、メモリ９におけるＣＣＤ撮像データについて欠陥補正用輝度データに基づいて欠陥該当位置（Ｘ，Ｙ）を検索し、ＣＣＤ撮像データ上のＸ，Ｙ座標の画素データを補正する。補正方法は、例えばＣＣＤ撮像データの座標（Ｘ＋２、Ｙ）の値を座標（Ｘ，Ｙ）のデータに上書きする。【選択図】  図１
2006254388.tif 000002
【特許請求の範囲】
【請求項１】
被写体像を撮像し撮像データを出力する撮像手段と、
前記撮像手段における撮像素子の欠陥画素がある位置とない位置を２値で示す欠陥位置２値圧縮データを記憶する記憶手段と、
前記記憶された欠陥位置２値圧縮データを伸長する伸長手段と、
前記伸長された欠陥位置２値データに基づいて前記撮像データにおける欠陥画素データを補正する補正手段とを有することを特徴とする撮像装置。
【請求項２】
前記補正手段は、前記伸長された欠陥位置２値データに基づいて前記撮像データにおける前記欠陥画素の位置を検出し、検出された位置の欠陥画素データをその画素近傍の画素データで補正することを特徴とする請求項１記載の撮像装置。
【請求項３】
前記記憶手段は、複数の前記欠陥位置２値圧縮データを記憶し、前記補正手段は、撮像時の撮像パラメータに応じて使用する前記複数の欠陥位置２値圧縮データのうちの１つを用いることを特徴とする請求項１又は２記載の撮像装置。
【請求項４】
前記複数の欠陥位置２値圧縮データは、前記撮像時の撮像パラメータとしての露光時間に応じて設定され、前記補正手段は、前記露光時間に応じて使用する前記複数の欠陥位置２値圧縮データのうちの１つを用いることを特徴とする請求項３記載の撮像装置。
【請求項５】
前記記憶手段は、前記撮像素子の欠陥画素の座標を示す欠陥座標データを記憶し、前記補正手段は、前記欠陥位置２値圧縮データと前記欠陥座標データの何れかを前記撮像時の撮像パラメータに応じて用いることを特徴とする請求項４記載の撮像装置。
【請求項６】
全ての画素データを輝度ゼロのデータとするプレーン画像を作成する作成手段と、
前記撮像データの各画素データを所定の閾値と比較し、前記閾値以上の画素データを欠陥画素データとして前記プレーン画像における該当位置のデータを所定の輝度に置き換え、置き換えられたプレーン画像データを２値圧縮処理し、処理されたデータを前記欠陥位置２値圧縮データとして作成する欠陥位置２値圧縮データ作成手段とを設けたことを特徴とする請求項１記載の撮像装置。
【請求項７】
被写体像を撮像し撮像データを出力する撮像処理と、
前記撮像処理における撮像素子の欠陥画素がある位置とない位置を２値で示す欠陥位置２値圧縮データを記憶手段から読み出す読み出し処理と、
読み出された欠陥位置２値圧縮データを伸長する伸長処理と、
前記伸長された欠陥位置２値データに基づいて前記撮像データにおける欠陥画素データを補正する補正処理とをコンピュータに実行させるプログラム。
【請求項８】
前記欠陥位置２値圧縮データは複数あり、前記補正処理により、撮像時の撮像パラメータに応じて使用する前記複数の欠陥位置２値圧縮データのうちの１つを用いることを特徴とする請求項７記載のプログラム。
【請求項９】
前記撮像素子の欠陥画素の座標を示す欠陥座標データを記憶手段から読み出す読み出し処理をコンピュータに実行させると共に、前記補正処理により、前記欠陥位置２値圧縮データと前記欠陥座標データの何れかを前記撮像時の撮像パラメータに応じて用いることを特徴とする請求項７記載のプログラム。
【請求項１０】
全ての画素データを輝度ゼロのデータとするプレーン画像を作成する作成処理と、
前記撮像データの各画素データを所定の閾値と比較する比較処理と、
前記閾値以上の画素データを欠陥画素データとして前記プレーン画像における該当位置のデータを所定の輝度に置き換える置き換え処理と、
前記置き換えられたプレーン画像データを２値圧縮処理する圧縮処理と、
前記圧縮処理されたデータを前記欠陥位置２値圧縮データとして作成する欠陥位置２値圧縮データ作成処理とをコンピュータに実行させることを特徴とする請求項７記載のプログラム。
【発明の詳細な説明】
【技術分野】
【０００１】
本発明は、撮像装置及びプログラムに関し、特に、画素欠陥補正機能を有するデジタルスチルカメラ等の撮像装置及びこの撮像装置で用いられるプログラムに関する。
【背景技術】
【０００２】
現在のデジタルスチルカメラに使用されるＣＣＤは３００万画素を超えるものがある。一方、半導体の製造工程では、ＣＣＤの全ての画素が完全に同一性能で形成されるわけではなく、不良画素もできてしまう。しかし、製品の歩留まり上である程度の個数の不良画素があっても、良品のＣＣＤとしてデジタルスチルカメラなどの商品に使用されるのが一般的である。商品側では、その不良画素のＣＣＤ上の縦横座標（アドレス）を、あらかじめ商品内のＲＯＭ等に格納しておき、撮影時に撮像データの不良アドレスにあたる位置のデータを、隣接する同じカラーフィルタの画素の値に置き換え、その後、静止画画像処理をするなどの補正処理が実施される。
【０００３】
また、上述の不良画素とは別に、暗電流特性の悪い画素も存在する。これは通常１秒程度の露光では、問題とならないが、露光時間が長くなるに従って暗電流の増加が大きい画素であり、それが画像データに重畳され、輝点となって見える。夜景撮影などの長時間露光撮影で点々の星状のノイズがこれである。不良画素は ３００万画素のＣＣＤに対して６０個程度であり、個々の不良画素のアドレスをＲＯＭに持っておくことができる。しかし、暗電流による欠陥画素は、露光秒時などの撮影パラメータによって補正しなければならない。また、４秒露光などでは欠陥画素の個数は、例えば３００万画素の２％であっても、６万画素になり、その数は膨大である。
【０００４】
従来より、欠陥画素アドレスなどの補正をするための膨大なデータを着脱可能な外部記録媒体に格納するようにした技術が提案されている（特許文献１）。また、ＣＣＤの画面を分割し、画面位置と欠陥レベルに応じて、優先順位をつけて補正情報を記憶手段に記憶するようにした技術が提案されている（特許文献２）。
【特許文献１】特許第３２３５２０４号公報
【特許文献２】特開２０００−１１５６４４号公報
【発明の開示】
【発明が解決しようとする課題】
【０００５】
しかしながら、着脱可能な記録媒体を紛失する可能性等の問題があり、ＣＣＤとその補正情報は、本来は撮像装置と一体的に持つのが理想である。また、補正情報を利用する技術では、補正用での独立の機能が必要となり、構成が複雑になる等の問題があった。
本発明は、ＣＣＤの欠陥画素を簡単に補正することのできる撮像装置を得ることを課題とする。
【課題を解決するための手段】
【０００６】
請求項１記載の発明は、被写体像を撮像し撮像データを出力する撮像手段と、前記撮像手段における撮像素子の欠陥画素がある位置とない位置を２値で示す欠陥位置２値圧縮データを記憶する記憶手段と、前記記憶された欠陥位置２値圧縮データを伸長する伸長手段と、前記伸長された欠陥位置２値データに基づいて前記撮像データにおける欠陥画素データを補正する補正手段とを備えることを特徴とする撮像装置である。
【０００７】
請求項２記載の発明は、請求項１記載の装置において、前記補正手段は、前記伸長された欠陥位置２値データに基づいて前記撮像データにおける前記欠陥画素の位置を検出し、検出された位置の欠陥画素データをその画素近傍の画素データで補正することを特徴とする。
請求項３記載の発明は、請求項１又は２記載の装置において、前記記憶手段は、複数の前記欠陥位置２値圧縮データを記憶し、前記補正手段は、撮像時の撮像パラメータに応じて使用する前記複数の欠陥位置２値圧縮データのうちの１つを用いることを特徴とする。
【０００８】
請求項４記載の発明は、請求項３記載の装置において、前記複数の前記欠陥位置２値圧縮データは、前記撮像時の撮像パラメータとしての露光時間に応じて設定され、前記補正手段は、前記露光時間に応じて使用する前記複数の欠陥位置２値圧縮データのうちの１つを用いることを特徴とする。
請求項５記載の発明は、請求項４記載の装置において、前記記憶手段は、前記撮像素子の欠陥画素の座標を示す欠陥座標データを記憶し、前記補正手段は、前記欠陥位置２値圧縮データと前記欠陥座標データの何れかを前記撮像時の撮像パラメータに応じて用いることを特徴とする。
【０００９】
請求項６記載の発明は、請求項１記載の装置において、全ての画素データを輝度ゼロのデータとするプレーン画像を作成する作成手段と、前記撮像データの各画素データを所定の閾値と比較し、前記閾値以上の画素データを欠陥画素データとして前記プレーン画像における該当位置のデータを所定の輝度に置き換え、置き換えられたプレーン画像データを２値圧縮処理し、処理されたデータを前記欠陥位置２値圧縮データとして作成する欠陥位置２値圧縮データ作成手段とを設けたことを特徴とする。
【００１０】
請求項７記載の発明は、被写体像を撮像し撮像データを出力する撮像処理と、前記撮像処理における撮像素子の欠陥画素がある位置とない位置を２値で示す欠陥位置２値圧縮データを記憶手段から読み出す読み出し処理と、読み出された欠陥位置２値圧縮データを伸長する伸長処理と、前記伸長された欠陥位置２値データに基づいて前記撮像データにおける欠陥画素データを補正する補正処理とをコンピュータに実行させるプログラムである。
【００１１】
請求項８記載の発明は、請求項７記載のプログラムにおいて、前記欠陥位置２値圧縮データは複数あり、前記補正処理により、撮像時の撮像パラメータに応じて使用する前記複数の欠陥位置２値圧縮データのうち１つを用いることを特徴とする。
請求項９記載の発明は、請求項７記載のプログラムにおいて、前記撮像素子の欠陥画素の座標を示す欠陥座標データを記憶手段から読み出す読み出し処理をコンピュータに実行させると共に、前記補正処理により、前記欠陥位置２値圧縮データと前記欠陥座標データの何れかを前記撮像時の撮像パラメータに応じて用いることを特徴とする。
【００１２】
請求項１０記載の発明は、請求項７記載のプログラムにおいて、全ての画素データを輝度ゼロのデータとするプレーン画像を作成する作成処理と、前記撮像データの各画素データを所定の閾値と比較する比較処理と、前記閾値以上の画素データを欠陥画素データとして前記プレーン画像における該当位置のデータを所定の輝度に置き換える置き換え処理と、前記置き換えられたプレーン画像データを２値圧縮処理する圧縮処理と、前記圧縮処理されたデータを前記欠陥位置２値圧縮データとして記憶手段に記憶する欠陥位置２値圧縮データ作成処理とをコンピュータに実行させることを特徴とする。
【発明の効果】
【００１３】
請求項１又は２の発明によれば、欠陥画素のアドレス情報を示す欠陥位置２値圧縮データはデータ量が少ないので、容量の小さいメモリに格納して撮像装置内に保持することができる。また、補正画素個数の多い暗電流についての欠陥補正も可能となる。また、カメラの文字画像再生機能を利用できるので、効率的な補正を行うことができる。特に長時間の露出で撮影する必要がある場合に有効である。
請求項３又は４の発明によれば、暗電流欠陥画素の個数に応じた適当な個数の補正が可能である。
【００１４】
請求項５の発明によれば、通常撮影時には不良欠陥を短時間で補正し、露光時間の長い撮影ではより多くの暗電流欠陥を補正することができ、効率的補正が可能である。また 補正時間についても、撮影時間に応じて行われるため、違和感がない。
請求項６の発明によれば、カメラの文字画像撮影機能を利用できるので、欠陥位置２値圧縮データを効率的に撮像装置自身で作成することができる。また、ユーザの所望の露光時間に応じた欠陥位置２値圧縮画像データを作成することができる。
【発明を実施するための最良の形態】
【００１５】
以下、本発明の実施形態を図面と共に説明する。
図１は本発明の実施形態に係るデジタルカメラの構成を示すブロック図である。
本実施形態は、２値画像撮影、再生機能を持つ撮像装置であって、欠陥アドレス情報を、２値圧縮画像として装置内に持つことにより、多くの欠陥画素を簡単に補正できるようにしたものである。
【００１６】
図１において、１はレンズ、２はメカニカルシャッタ、３は撮像素子としてのＣＣＤ、
４はＣＣＤ３の撮像信号を相関２重サンプリング及びＡ／Ｄ変換するＣＤＳ・ＡＤ部、５はＡ／Ｄ変換されたデジタル信号を輝度信号Ｙ、色差信号Ｕ，Ｖに変換し、そのＹＵＶデータをＪＰＥＧ圧縮するＤＳＰ部（デジタル信号処理部）、６はメカニカル部を駆動するメカドライバ部で、レンズ１を駆動するフォーカス駆動と、シャッタ２の開閉制御を行う。７はＣＣＤ駆動部、８はカメラ全体を制御するＣＰＵ、９は撮像した画像データ、ファイルからのリードデータを一時保持するメモリ、１０はカメラ外部との通信ドライバ部、１１はカメラに着脱可能なメモリカードである。
【００１７】
１２はＤＳＰ部５で処理された画像信号をＬＣＤ表示可能に変換する表示コントローラ及び変換された信号を表示するＬＣＤを有する表示部、１３はシャッタ釦等のユーザが操作するスイッチ部、１４はカメラに撮像される外部装置Ｉで、例えばカメラ本体内の電池を充電する充電回路を内蔵する。この外部装置Ｉに表示装置があれば、上記表示部１２が無い場合もある。１５は外部装置Ｉに接続される外部装置IIで、例えばＰＣ（パソコン）である。１６は音声ＣＯＤＥＣで、入力アナログ部１８（例えばマイクロフォン）からのアナログ音声信号をＡ／Ｄ変換してＤＳＰ部５に入力したり、ＤＳＰ部５からのデジタル音声信号をＤ／Ａ変換して出力アナログ部１９（例えばスピーカ）に出力する。１７は撮影した画像ファイル、録音した音声ファイルを格納したり、カメラの電源がオフされた場合でも撮影モード情報等を保持しておく不揮発メモリである。
【００１８】
図２は記録時のメイン処理を示すフローチャート、図３はソフトウェアにおけるメイン処理ブロック２０及び併行処理ブロック４０の構成を示すブロック図である。
図３において、メイン処理部ブロック２０の各処理部２１〜２９は、図２のフローチャートの各ステップにおける処理を実行する処理部である。例えば図２のＳＷ判定処理（Ｓ１）は図３のＳＷ判定処理部２１で実行され、図２の動作モード判断処理（Ｓ２）は図３の動作モード判断処理部２２で実行される。また、本発明の特徴部分である欠陥位置２値圧縮データ処理部３０があり、その中にプレーン画像作成処理部３１、欠陥位置２値画像作成処理部３２がある。また、併行処理ブロック４０には、定期的に割り込み処理を実行する定期タイマ割り込み処理部４１がある。
【００１９】
次に、一般的な撮像動作及び画像処理等について説明する。
図２、図３に示すように本実施形態では、多値画像を記録する静止画撮影モードと２値画像（文字画像）を記録する文字撮影モードがある。
本システムは、例えば２０ｍｓごとの定期タイマ割り込み処理部４１で入力されるＳＷ（スイッチ）情報をＳＷ判定処理部２１で確定して（図２のＳ１）、動作モード判断処理部２２にその情報を渡す。特に有効なＳＷ確定入力がなければ、無効操作としてＳＷ判定処理を繰り返すループとなる。有効なＳＷ確定入力があれば、その情報で動作モード判断処理部２２は、第一ＳＷオン操作、第二ＳＷオン操作、ファイル再生操作及び表示合成操作に振り分ける（図２のＳ２）。
【００２０】
静止画撮影モード又は文字撮影モードの場合は、メカドライバ部６、ＣＣＤ駆動部７により撮像部が駆動され、撮像データが画像処理されて表示部１２に表示される（モニタリング表示）。図１のスイッチ部１３には、シャッタ釦があり、静止画撮影モード時は、シャッタ釦の第一ＳＷがＯＮされると、ＡＥ／ＡＦ(自動露出制御／自動焦点制御)処理部２３が処理を行う（図２のＳ３）。ＣＰＵ８は、メカドライバ部６によりレンズ１を動かしフォーカスを合わせる。また、撮像データをＤＳＰ部５で評価し、ＣＣＤ駆動部７に設定するＣＣＤ３の露光時間値を決める。
【００２１】
図２、図３においては、ＳＷ判定処理部２１（Ｓ１）及び動作モード判断処理部２２（Ｓ２）で、第一ＳＷオン処理判定され、ＡＥ／ＡＦ処理部２３で処理し（Ｓ３）、終了後は再びＳＷ判定処理に戻り、有効なＳＷ情報がなければ、再びなにもせず、ＳＷ判定処理に戻るループを繰り返す。次に、第二ＳＷがオンされると（Ｓ４）、撮影記録録処理が行われる。  ＣＣＤ撮像データは、ＤＳＰ部５で画像処理から圧縮まで行われ、メモリ３に書き込まれる。画像処理、圧縮処理は、静止画撮影モードと文字撮影モードとで処理が異なる。
【００２２】
静止画撮影モードで多値画像を撮影する場合は、静止画記録処理（Ｓ５）が行われる。画像処理時に、各撮像位置における Ｒ，Ｇ，Ｂデータから、その画像位置における多階調の輝度データと色データを生成する。これらのデータをＪＰＥＧなどの静止画圧縮変換し、ヘッダを付けて静止画圧縮ファイルとしてこれをメモリカード１１に書き込む（Ｓ６）。
【００２３】
文字撮影モードでは、文字記録処理（Ｓ７）が行われる。各撮像位置周辺の平均輝度をスレッシュ値とし、その画像位置の輝度データを２値化処理する（スレッシュ値より大きければ “１”、小さければ “０”）。この２値化データを、ファクシミリでも使用されているＭＭＲなどの２値データ圧縮し、ヘッダを付けて２値圧縮ファイルとし、これをメモリカード１１に前記多値画像と対応付けて書き込む（Ｓ６）。
【００２４】
通常の静止画の輝度信号、色信号は各画素１６ビットである。２値画像は、各画素を１ビットで表現できるので、単純に多値画像の１／１６となる。また、ビット列のパターンの出現頻度に応じてコードを割り当てることにより、データ数をさらに小さくすることができる。ＭＭＲ方式などの２値圧縮では ２０４８×１５３６の画素数のＣＣＤで撮影した場合でも、その２値圧縮画像ファイルのサイズは、４０ＫＢ以下で済む。
【００２５】
また、文字板等の文字を撮影して多値画像に添付する場合は、第二ＳＷオン操作をすると（Ｓ４）、文字添付撮影モードになり、文字記録処理（Ｓ８）を実施する。処理された文字データをメモリ９にある静止画画像データのファイルと同じファイルに一緒に格納し（Ｓ９）、これを文字付き静止画ファイル（文字添付ファイル）としてメモリカード１１に記録する。
【００２６】
この他、カメラでは再生操作により、再生駒番号決定処理（Ｓ１０）で、メモリカード内の再生するファイルを選択し、それをスチル再生処理（Ｓ１１）で、カメラ内のメモリ９に読み込み、圧縮データを伸長して、表示部１２に表示する。
【００２７】
次に、本発明の特徴部分について説明する。
まず、請求項１，２に関する第１の実施形態を説明する。
本実施形態においては、カメラ内の内蔵不揮発性メモリ１７に、欠陥画素の位置を示す欠陥位置２値圧縮データを持っている。そのデータサイズは、ＣＣＤ３が３００万画素（２０４８×１５３６画素）であっても、２値圧縮データであるため４０ＫＢ程度である。もし、欠陥アドレス情報をＣＣＤ上の座標として持つとすれば、その個数が前述したように６万個とすると、６万×（２Byte（横座標アドレス、max 2048）＋２Byte（縦座標アドレス、max 1536））となり、２４０ＫＢと大きなメモリ容量を必要とする。
【００２８】
カメラ撮影者が撮影を実行すると、ＣＣＤ３の撮像データはメモリ９に格納される。
メモリ内は、ＣＣＤ撮像データをデジタル化しただけなので、例えば、Ｒ，Ｇ，ＢのＣＣＤ３のベイヤ配列そのままのデジタルデータが格納される。一方、内蔵不揮発メモリ１７の欠陥補正用の欠陥位置２値圧縮データは、ＤＳＰ部５の２値処理部で伸長された後、メモリ９に格納される。伸長された２値データは、前述の文字撮影モードの再生処理と同じように２値処理部で多値画像と同じ輝度と色差のフォーマットに変換されるが、２０４８×１５３６画素の輝度情報において、欠陥がない画素に相当する画素アドレスのデータの値はゼロになり、欠陥画素に相当する画素アドレスのデータの値は２５５になる。
【００２９】
以上のように、メモリ９には、２０４８×１５３６画素の ＣＣＤ撮像データと、欠陥位置の値が２５５となっている２０４８×１５３６画素の欠陥補正用輝度データとの２つが作成される。次に、上記欠陥補正用輝度データの欠陥該当位置（Ｘ，Ｙ）を検索して、ＣＣＤ撮像データ上のＸ，Ｙ座標の画素データを補正する。補正は図３の欠陥補正処理部２６で行われる。補正の仕方は、具体的にはＣＣＤ撮像データの座標（Ｘ＋２、Ｙ）の値を、座標（Ｘ，Ｙ）のデータに上書きする。ＸとＸ＋２は、ＣＣＤのベイヤ配列では同じカラーフィルタの最も近い画素同士である。このようにして補正されたＣＣＤ撮像データは、ＤＳＰ部５で処理され、静止画画像データに変換される。
【００３０】
次に、請求項３，４に関する第２の実施形態を説明する。
前述したように、暗電流による欠陥画素の個数は長時間露出した場合に増加する。メモリ９内の欠陥位置２値圧縮データはデータ数が小さいので、本実施形態においては、例えば２秒露出撮影用、４秒露出撮影用、８秒露出撮影用と複数の欠陥位置２値圧縮データ持っている。
本実施形態によれば、撮影した露出秒時に応じて上記各データを使い分けることにより、過補正することもなくなり、最適な個数の画素の補正を行うことができる。
【００３１】
次に、請求項５に関する第３の実施形態を説明する。
欠陥位置２値圧縮データを用いる方法は、初めのデータ伸長処理と、撮影ごとの欠陥該当位置 Ｘ，Ｙの検索作業が必要である。一方、１秒程度の短い露出で問題となる不良画素数は６０個レベルであり、座標データとしても十分少ないので、本実施形態においては、この短い露出用の座標データをそのまま内蔵不揮発性メモリ１７に格納している。
【００３２】
本実施形態によれば、特に長秒時撮影でない場合は、短い露出用の座標データを用いた座標式補正処理を行い、長秒時露出の場合は、第１の実施形態による欠陥画像式補正処理を行うのがよい。もともと長秒時撮影であるので、欠陥画像式補正処理により多少時間がかかっても使用者に不利益はない。
【００３３】
請求項６に関する第４の実施形態を説明する。
本撮像装置は、撮影モードとして文字撮影モードという２値画像撮影機能を持っているので、本実施形態においては、欠陥データ更新モード等をユーザに提供している。この欠陥データ更新モードでは、シャッタを閉じたままで露光時間４秒の撮影をして、その撮像データをメモリ９に格納する。同時に２０４８×１５３６の輝度ゼロのデータをメモリ内にプログラムで作成する。これをプレーン画像とする。この作成処理は、図３の欠陥位置２値圧縮データ処理部３０におけるプレーン画像作成処理部３１で行われる。
【００３４】
次に、上記撮像データの画素データを所定のしきい値Ｍで比較し、Ｍ以上の値であれば、それを欠陥画素としてプレーン画像側の該当アドレスのデータを２５５にする。以上の処理を欠陥位置２値画像作成処理部３２において撮像した全画素位置に対して実施する。終了したら、プレーン画像を２値圧縮し、露光時間４秒に対する欠陥位置２値圧縮データとして内蔵不揮発性メモリ１７に格納する。本例では４秒としたが、この時間もユーザにより選択できるようにしてよい。尚、上記しきい値Ｍは、撮像データのカラーフィルタに応じてＲ用、Ｇ用、Ｂ用にそれぞれ設定するようにしてもよい。
本実施形態によれば、欠陥位置２値圧縮データを撮像装置自身において作成することができる。
【００３５】
なお、上述した各実施形態における処理を、ＣＰＵ８が実行するためのプログラムは本発明によるプログラムを構成する。このプログラムを記録する記録媒体としては、半導体記憶装置や光学的及び／又は磁気的な記憶装置等を用いることができる。このようなプログラム及び記録媒体を、各実施形態とは異なる構成のシステム等で用い、そこのＣＰＵに上記プログラムを実行させることにより、本発明と実質的に同じ効果を得ることができる。
【図面の簡単な説明】
【００３６】
【図１】本発明の実施形態に係る撮像装置の構成を示すブロック図である。
【図２】本発明の実施形態の形態に係る動作と画像処理を示すフローチャートである。
【図３】本発明の実施形態に係る撮像装置のソフトウェアの構成を示すブロック図である。
【符号の説明】
【００３７】
３    ＣＣＤ
５    ＤＳＰ部
８    ＣＰＵ
９    メモリ
１７    内蔵不揮発メモリ
２５    文字記録処理部
２６    欠陥補正処理部
３０    欠陥位置２値圧縮データ処理部
３１    プレーン画像作成処理部
３２    欠陥位置２値画像作成処理部
【図１】
2006254388.tif 000003
【図２】
2006254388.tif 000004
【図３】
2006254388.tif 000005